(57)【要約】【課題】  住宅内にある緊急呼出用の子機と住宅外部の携帯電話とで通話する。【解決手段】  住宅２内部に設置された親機４が、住宅２外部の携帯電話機１６と通話可能である。住宅２の玄関に設置された玄関子機６が親機４と通話可能である。住宅２の内部に配置されたパニック釦１２が、親機４と無線通話可能である。親機４は、パニック釦１２から呼出があると、携帯電話機１６を呼び出し、かつ親機４が備えるチャイムを作動させ、携帯電話機１６からの応答と、親機４が備える釦スイッチの操作による応答とのうち、先に発生した機器をパニック釦１２と通話可能とする。【選択図】        図１
2005311673.tif 000002
【特許請求の範囲】
【請求項１】
住宅内部に設置され、住宅外部の外部通話装置と通話可能な親機と、
前記住宅の外部に設置され、前記親機と通話可能な外部子機と、
前記住宅の内部に配置され、前記親機と無線通話可能な緊急用子機とを、
備え、前記親機は、前記緊急用子機から呼出があると、前記外部通話装置を呼び出し、かつ前記親機が備える呼出報知手段を作動させ、前記外部通話装置からの応答と、前記親機が備える呼出応答手段の操作による応答とのうち、先に応答した機器を前記緊急用子機と通話可能とする
インターホン。
【請求項２】
請求項１記載のインターホンにおいて、更に、前記住宅内に前記親機と通話可能な住宅内子機が設置され、前記親機は、前記緊急用子機から呼出があったとき、前記住宅内子機も呼び出し、前記親機は、前記外部通話装置からの応答と、前記親機の前記呼出応答手段の操作による応答の他に、前記住宅内子機の応答も含め、これら応答のうち先に応答した機器を前記緊急用子機と通話可能とするインターホン。
【請求項３】
住宅内部に設置され、住宅外部の外部通話装置と通話可能な親機と、
前記住宅の外部に設置され、前記親機と通話可能な外部子機と、
前記住宅の内部に配置され、前記親機と無線通話可能な緊急用子機とを、
備え、前記親機が前記外部子機と通話可能な状態と、前記親機を介して前記外部通話装置と前記外部子機とが通話可能な状態とのうち、いずれの状態であっても、前記緊急用子機から呼び出しがあったとき、前記親機は、前記外部通話装置を呼び出し、かつ前記親機が備える呼出報知手段を作動させ、前記外部通話装置からの応答と、前記親機が備える呼出応答手段の操作による応答とのうち、先に応答した機器を前記緊急用子機と通話可能とするインターホン。
【請求項４】
請求項３記載のインターホンにおいて、更に、前記住宅内に前記親機と通話可能な住宅内子機が設置され、前記親機は、前記緊急用子機から呼出があったとき、前記住宅内子機も呼び出し、前記親機は、前記外部通話装置からの応答と、前記親機の前記呼出応答手段の操作による応答の他に、前記住宅内子機の応答も含め、これら応答のうち先に応答した機器を前記緊急用子機と通話可能とするインターホン。
【請求項５】
請求項１、２、３または４記載のインターホンにおいて、前記外部通話装置は、複数台設置され、前記親機は、前記複数台の外部通話装置を順に呼び出すインターホン。
【発明の詳細な説明】
【技術分野】
【０００１】
本発明は、インターホンに関し、特に緊急用子機と無線通話可能なものに関する。
【背景技術】
【０００２】
インターホンは、例えば住宅内部に設置された親機と、住宅の外部、例えば玄関に設置された子機との間で、通話を行うものである。ところで、外出時に、来客があった場合に外出先から来客と通話可能としたインターホンが、例えば特許文献１に開示されている。
【０００３】
この特許文献１の技術では、留守のときに玄関子機から呼び出しがあると、親機は、予め定められた携帯電話に電話をかけ、親機を介して携帯電話と玄関子機との間で通話可能とする。
【０００４】
【特許文献１】特開平９−１６３０００号公報
【発明の開示】
【発明が解決しようとする課題】
【０００５】
特許文献１の技術によれば、玄関にいる来客者と、その住宅の外出中の住人とが通話することはできる。ところで、住宅内に病人等がいる場合、この病人が、その病状等の変化により緊急にだれかに連絡を希望することがある。特に、その住宅内に病人以外の人がいない場合、外出中の住人と連絡をとる必要があるが、特許文献１の技術では、このような状態に対応することができない。
【０００６】
本発明は、住宅内にある緊急呼出用の子機から外部の通話装置に通話することができるインターホンを提供することを目的とする。
【課題を解決するための手段】
【０００７】
本発明の１態様のインターホンは、住宅内部に設置された親機を有している。この親機は、住宅外部の外部通話装置と通話可能に構成されている。外部通話装置としては、携帯電話、ＰＨＳ等の移動通信装置の他に、固定電話装置等がある。前記住宅の外部に外部子機が設置されている。この外部子機は、例えば玄関等に設置され、前記親機と通話可能である。親機と外部子機との通話は、有線で行うこともできるし、無線で行うこともできる。前記住宅の内部に緊急用子機が配置されている。この緊急用子機は、例えば病人等の要介護者の近傍に配置することが望ましい。また、どのような場所に要介護者がいても通話可能とするために、前記親機とは無線通話可能とされている。前記親機は、前記緊急用子機から呼出があると、前記外部通話装置を呼び出す。同時に、前記親機が備える呼出報知手段を親機が作動させる。これによって、住宅内に住人がいる場合には、この住人に報知する。呼出報知手段としては、聴覚的に及びまたは視覚的に報知するものが望ましい。親機は、呼出応答手段を備えており、呼出報知手段による報知に応答する場合、この呼出応答手段が操作される。外部通話装置からの応答と、呼出応答手段の操作による応答とのうち、いずれか先に応答した機器が親機によって前記緊急用子機と通話可能とされる。
【０００８】
このように構成すると、要介護者が緊急に連絡する必要のある場合、その住宅内の親機の近傍にいる住人か、外出中の住人か、とにかく連絡をとることができる人と速やかに通話可能となり、要介護者の緊急事態に速やかに対応することができる。
【０００９】
上記の態様のインターホンに、更に、住宅内子機を設置することもできる。この住宅内子機は、前記親機と通話可能である。この通話は有線、無線いずれであってもかまわない。親機は、緊急用子機から呼出があったとき、外部通話装置を呼び出し、かつ呼出報知手段を作動させるだけでなく、前記住宅内子機も呼び出す。前記親機は、前記外部通話装置からの応答と、前記親機の前記呼出応答手段の操作による応答の他に、前記住宅内子機の応答も含め、これら応答のうち、先に応答した機器を前記緊急用子機と通話可能とする。
【００１０】
このように構成すると、外出中の住人及び親機の近傍にいる住人以外に、住宅内子機の近傍にいる住人も含めて、これらのうち最も速く応答が可能な人と連絡をすることができる。
【００１１】
本発明の他の態様のインターホンは、上述した態様と同様に、親機と、外部子機と、緊急用子機とを、備えている。前記親機が前記外部子機と通話可能な状態と、前記親機を介して前記外部通話装置と前記外部子機とが通話可能な状態とのうち、いずれの状態であっても、前記緊急用子機から呼び出しがあったとき、前記親機は、例えば、そのときの通話可能状態を強制的に解除して、前記外部通話装置を呼び出し、かつ前記親機が備える呼出報知手段を作動させ、前記外部通話装置からの応答と、前記親機が備える呼出応答手段の操作による応答とのうち、先に応答した機器を前記緊急用子機と通話可能とする。
【００１２】
この態様によれば、たとえ、親機と外部子機とが通話中であっても、外部通信装置と外部子機とが通話中であっても、これら通話を中断して、緊急用子機からの呼出が報知され、かつ、この呼出に最先に応答した機器と緊急用機器とが通話可能となる。
【００１３】
この態様では、上記の態様と同様に住宅内子機を設置することができる。この場合、前記親機は、前記緊急用子機から呼出があったとき、前記住宅内子機も呼び出し、前記親機は、前記外部通話装置からの応答と、前記親機の前記呼出応答手段の操作による応答の他に、前記住宅内子機の応答も含め、これら応答のうち先に発生した機器を前記緊急用子機と通話可能とする。
【００１４】
このように構成すれば、緊急用子機から連絡を取れる可能性が高くなる。
【００１５】
上述した各態様において、外部通話装置を複数台設置することができる。この場合、前記親機は、前記複数台の外部通話装置を順に呼び出す。このように構成すると、例えば、有る外部通話装置から応答が例えば所定時間内に無い場合には、別の外部通話装置を呼び出すことができ、連絡がとれる確率を高めることができる。
【発明の効果】
【００１６】
以上のように、本発明によれば、緊急用子機から呼出があった場合、最先に応答したものと通話が可能となり、特に外部にある通話装置が最先に応答した場合には、これと通話が可能であるので、住宅に要介護者以外の住人がいない場合でも、連絡することができる。
【発明を実施するための最良の形態】
【００１７】
本発明の１実施形態のインターホンでは、図１に示すように、住宅２内に親機４が設置されている。また、住宅２の外部、例えば玄関には、外部子機、例えば玄関子機６が配置されている。さらに、住宅２の外部、例えば不法侵入者が侵入しやすい場所には、センサ子機８が配置されている。また、住宅２内の異なる場所にそれぞれ室内子機１０が設置されている。さらに、住宅２内の要介護者がいる場所には、緊急用子機、例えばパニック釦１２が配置されている。これら各機器は、互いに無線通信可能に構成されている。さらに、親機４は、外部の電話回線１４を介して外部通話装置、例えば携帯電話機１６と通話可能に構成され、この親機４を介して玄関子機６、室内子機１０、パニック釦１２が携帯電話機１６と通話可能に構成されている。
【００１８】
親機４には、電話番号を登録する入力キー４ａ、電話番号等を表示する表示パネル４ｂ、玄関子機６からの呼出に応答するボタンスイッチ４ｃ、各室内子機１０を呼び出したり、各室内子機１０から呼び出されたりしたときに操作するボタンスイッチ４ｄ、通話相手からの音声を出力するスピーカ４ｅ、通話相手に送る音声をピックアップするマイク４ｆ、電話回線接続用コネクタ４ｇ、親機４に並設した電話器１８と接続するコネクタ４ｈ、音量ボリューム４ｉ、呼び出されたときに鳴動する呼出用チャイムのボリューム４ｊ、呼出時に外部機器、例えばランプ２０を作動させるためのリレー出力４ｋ、アンテナ４ｍ、アラームランプ４ｎを備えている。
【００１９】
玄関子機６には、呼出釦スイッチ６ａ、スピーカ６ｂ、マイク６ｃ、アンテナ６ｄが設けられている。パニック釦１２にも同様に、呼出釦スイッチ１２ａ、スピーカ１２ｂ、マイク１２ｃ、アンテナ１２ｄが設けられている。
【００２０】
センサ子機８には、センサ８ａ、侵入者を威嚇する音声を出力するスピーカ８ｂ、侵入者の音をピックアップするためのマイク８ｃ、アンテナ８ｄが備えられている。
【００２１】
室内子機１０には、玄関子機６、親機４からの呼出に応答するための釦スイッチ１０ａ、他の室内子機１０を呼び出したり、他の室内子機１０から呼び出されたりしたときに操作するボタンスイッチ１０ｂ、スピーカ１０ｃ、マイク１０ｄ、アンテナ１０ｅ、アラームランプ１０ｆ、音量ボリューム１０ｇ、チャイムボリューム１０ｈが設けられている。
【００２２】
このインターホンでは、図２に示すように、パニック釦１２の呼出釦スイッチ１２ａまたは玄関子機６の呼出釦スイッチ６ａが操作される（ステップＳ２）と、パニック釦１２または玄関子機６は親機４に呼出信号を送信する（ステップＳ４）。そして、親機４から応答があるか判断し（ステップＳ６）、この判断の答えがイエスであると、親機４との通話動作に入る（ステップＳ７）。ステップＳ６の判断の答えがノーの場合、一定時間が経過したか判断し（ステップＳ８）、この判断の答えがノーの場合、ステップＳ６に戻る。ステップＳ８の判断の答えがイエスの場合、待機状態となる（ステップＳ９）。
【００２３】
またセンサ子機８のセンサ８ａが侵入者等を検知すると（ステップＳ１０）、親機４に呼出信号を送信し（ステップＳ１２）、親機４から応答があるか判断し（ステップＳ１４）、この判断の答えがイエスであると、親機４との通話動作に入る（ステップＳ１５）。ステップＳ１４の判断の答えがノーの場合、一定時間が経過したか判断し（ステップＳ１６）、この判断の答えがノーの場合、ステップＳＳ１４に戻る。ステップＳ１５の答えがイエスの場合、待機状態となる（ステップＳ１７）
【００２４】
また室内子機１０の呼出釦スイッチ１０ｂが操作される（ステップＳ１８）と、室内子機１０は親機４に呼出信号を送信する（ステップＳ２０）。そして、親機４から応答があるか判断し（ステップＳ２２）、この判断の答えがイエスであると、親機４との通話動作に入る（ステップＳ２３）。ステップＳ２２の判断の答えがノーの場合、一定時間が経過したか判断し（ステップＳ２４）、この判断の答えがノーの場合、ステップＳ２２に戻る。ステップＳ２４の判断の答えがイエスの場合、待機状態となる（ステップＳ２５）。
【００２５】
一方、親機４では、図３（ａ）に示すように、パニック釦１２からの呼出信号を受信すると（ステップＳ２６）、そのときたとえ他の処理、例えば玄関子機６、センサ子機８または室内子機１０との通話処理中であっても、これを中断して、パニック警報動作処理を実行する。即ち、親機２においては、パニック釦１２からの呼出が最も優先されて処理される。また、親機４では、図３（ｂ）に示すようにパニック釦１２と通話中でないときに、玄関子機６、センサ子機８または室内子機１０からの呼出があると（ステップＳ２８）、センサ子機８からの呼出か判断する（ステップＳ３０）。その答えがイエスであると、センサ警報動作処理を実行する。ステップＳ３０の判断の答えがノーの場合、玄関子機６からの呼出か判断する（ステップＳ３２）。その答えがイエスの場合、玄関子機呼出動作処理を実行する。ステップＳ３２の判断の答えがノーの場合、室内子機１０からの呼出であるので、室内子機呼出動作処理を行う。
【００２６】
図４に示すように、パニック警報動作処理では、まず、親機４は全室内子機１０へパニック信号を送信する（ステップＳ３４）。これによって、室内子機１０では、後述する室内子機パニック警報動作処理が実行される。ステップＳ３４に続いて、アラームランプ４ｎが点滅動作し、かつチャイムが１分間にわたって警報音を鳴らし、かつリレーメイク動作が行われる（ステップＳ３６）。リレーメイク動作によってランプ２０が点灯する。
【００２７】
ステップＳ３６に続いて、予め設定されている携帯電話機等の登録先に電話が掛けられる（ステップＳ３８）。これに続いて、登録先の電話が応答したか判断する（ステップＳ４０）。この判断の答えがイエスの場合、親機４はパニック釦１２に応答信号を送信し、かつ各室内子機１０に決定信号を送信する（ステップＳ４２）。これによって、登録先の携帯電話機とパニック釦１２との間で通話が開始される。
【００２８】
ステップＳ４０の判断の答えがノーの場合、親機４の応答釦スイッチ４ｃが押されたか判断する（ステップＳ４４）。この判断の答えがイエスの場合、親機４はパニック釦１２に応答信号を送信し、各室内子機１０に決定信号を送信する（ステップＳ４６）。これによって、親機４とパニック釦１２との間で通話が開始される。
【００２９】
ステップＳ４４の判断の答えがノーであると、各室内子機１０のいずれかで応答ボタンスイッチ１０ａが押されたことを表す信号を受信したか判断する（ステップＳ４８）。この判断の答えがイエスの場合、親機４はパニック釦１２に応答信号を送信する（ステップＳ５０）。これによって、室内子機１０とパニック釦１２との間で通話が開始される。
【００３０】
ステップＳ４８の判断の答えがノーの場合、登録先に予め定めた回数にわたってコールしたか判断する（ステップＳ５２）。この判断の答えがノーの場合、ステップＳ４０から再び実行する。ステップＳ５２の判断の答えがイエスであると、次の登録先があるか判断する（ステップＳ５４）。この判断の答えがイエスの場合、次の登録先に電話を掛け（ステップＳ５６）、ステップＳ４０から再び実行する。ステップＳ５４の判断の答えがノーの場合、予め定められた規定回数だけリダイヤルしたか判断し（ステップＳ５８）、その判断の答えがノーの場合、ステップＳ５６を実行する。ステップＳ５８の判断の答えがイエスの場合、親機４は待機状態に入り、パニック釦１２はスリープ状態に戻る（ステップＳ６０）。
【００３１】
このようにパニック釦１２からの呼出があると、予め登録されている携帯電話機、親機４、室内子機１０を順に呼び出すことが繰り返し行われる。この繰り返しの間に、携帯電話機、親機４、室内子機１０のうち最先に応答したものとパニック釦１２との間で通話が開始される。パニック釦１２は、親機４と、または親機４を介して携帯電話機若しくは室内子機１０と無線によって通話可能に構成されているので、要介護者は自分の状況を会話によって伝えることができる。要介護者の近傍に緊急時に操作するベル等を配置していた場合には、住宅内の住人に緊急事態であることを知らせることはできるが、どのような状況であるかを伝えることはできないし、まして住宅内にだれもいない状況では全く連絡をとることができない。しかし、パニック釦１２であれば、住宅内に人がいる場合でもいない場合でも、現状を会話によって伝えることができる。
【００３２】
なお、各室内子機１０のパニック警報動作は、図５に示すように行われる。即ち、室内子機１０のアラームランプ１０ｆを点滅動作させ、１分間にわたってチャイムを動作させて警報報知を行う（ステップＳ６２）。もし、親機２と同様に外部にランプを備えている場合、このランプを点灯させることもできる。いずれか１つの室内子機１０の応答釦スイッチ１０ａが操作されたか判断される（ステップＳ６４）。この判断の答えがノーであると、親機４から携帯電話または親機４が応答した旨の応答信号を受信したか判断する（ステップＳ６６）。この判断の答えがノーであると、ステップＳ６４に戻る。ステップＳ６６の判断の答えがイエスであると、室内子機１０は待機状態に戻る（ステップＳ６８）。ステップＳ６４の判断の答えがイエスの場合、親機４に応答釦スイッチが操作された旨を表す信号を送信し（ステップＳ７０）、親機４は残りの室内子機１０に停止信号を送信し（ステップＳ７２）、室内子機１０とパニック釦１２との間で通話を開始する。また、ステップＳ７２の実行により、残りの室内子機１０は停止状態に戻る（ステップＳ７４）。
【００３３】
玄関子機呼出動作処理では、図６に示すように親機４がステイモードに設定されているか判断する（ステップＳ７６）。この判断の答えがノーの場合、外出モード処理が実行され、この判断の答えがイエスの場合、ステイモード処理が実行される。なお、外出モード、ステイモードの切換は、親機４に設けられたモード切換スイッチ（図示せず）を操作することによって行われ、この住宅の住人が外出する場合に、外出モードに切り換えられ、それ以外の場合にはステイモードに切り換えられる。
【００３４】
図７に示すように、外出モード処理では、まず、親機４は、玄関子機６から呼出があったことを表す信号を全室内子機１０に送信し、チャイム音を数回鳴らす（ステップＳ７８）。これによって後述するように、各室内子機１０では玄関子機呼出動作処理が実行される。
【００３５】
ステップＳ７８に続いて、予め設定されている携帯電話機等の登録先に電話が掛けられる（ステップＳ８０）。これに続いて、登録先の電話が応答したか判断する（ステップＳ８２）。この判断の答えがイエスの場合、親機４は玄関子機６に応答信号を送信し、かつ各室内子機１０に決定信号を送信する（ステップＳ８４）。これによって、登録先の携帯電話機と玄関子機６との間で通話が開始される。
【００３６】
ステップＳ８２の判断の答えがノーの場合、親機４の応答釦スイッチ４ｃが押されたか判断する（ステップＳ８６）。この判断の答えがイエスの場合、親機４は玄関子機６に応答信号を送信し、各室内子機１０に決定信号を送信する（ステップＳ８８）。これによって、親機４と玄関子機６との間で通話が開始される。
【００３７】
ステップＳ８６の判断の答えがノーであると、各室内子機１０のいずれかで応答ボタンスイッチ１０ａが押されたことを表す信号を受信したか判断する（ステップＳ９０）。この判断の答えがイエスの場合、親機４は玄関子機６に応答信号を送信する（ステップＳ９２）。これによって、室内子機１０と玄関子機６との間で通話が開始される。
【００３８】
ステップＳ９０の判断の答えがノーの場合、登録先に予め定めた回数にわたってコールしたか判断し（ステップＳ９４）、この判断の答えがノーの場合、ステップＳ８２から再び実行する。ステップＳ９４の判断の答えがイエスであると、予め定められた規定回数だけリダイヤルしたか判断し（ステップＳ９６）、その判断の答えがノーの場合、ステップＳ８２から再び実行する。ステップＳ９６の判断の答えがイエスの場合、親機４は待機状態に入り、玄関子機６はスリープ状態に戻る（ステップＳ９８）。このように外出モードでは、登録先、親機４、室内子機１０を順に呼び出すことを繰り返し、その間で最先に応答したものと玄関子機６との間で通話が行える。
【００３９】
室内子機１０の玄関子機呼出動作では、図８に示すように、まず各室内子機１０の呼出音を数回鳴らし（ステップＳ１００）、いずれかの室内子機１０において応答釦スイッチ１０ａが操作されたか判断する（ステップＳ１０２）。この判断の答えがノーの場合、登録先または親機が応答した旨の信号を親機４から受信したか判断し（ステップＳ１０４）、この判断の答えがノーの場合、ステップＳ１０２に戻る。ステップＳ１０４の判断の答えがイエスの場合、規定呼出時間が経過したか判断し（ステップＳ１０６）、この判断の答えがノーの場合、ステップＳ１０２から再び実行する。ステップＳ１０６の判断の答えがイエスの場合、室内子機１０は待機状態に戻る（ステップＳ１０８）。
【００４０】
ステップＳ１０２の判断の答えがイエスの場合、応答釦スイッチ１０ａが操作された旨を表す信号を親機４に送信する（ステップＳ１１０）。ステップＳ１１０に続いて、親機４は残りの室内子機１０に停止信号を送信し（ステップＳ１１２）、室内子機１０と玄関子機６との間で通話が開始される。ステップＳ１１２によって、他の室内子機１０は待機状態に戻る（ステップＳ１１４）。
【００４１】
ステイモードでは、図９に示すように、親機４は全室内子機１０に、玄関子機６からの呼出信号を受信した旨の信号を送信し、チャイム音を数回鳴らす（ステップＳ１１６）。この全室内子機１０への送信によって、上述した室内子機１０の玄関子機呼出動作が各室内子機１０において実行される。ステップＳ１１６に続いて、親機４の応答釦スイッチ４ｃが操作されたか判断される（ステップＳ１１８）。この判断の答えがイエスであると、親機４は、玄関子機６に応答信号を送信し、各室内子機１０に決定信号を送信し（ステップＳ１２０）、これによって親機４と玄関子機６との間で通話が開始される。
【００４２】
ステップＳ１１８の判断の答えがノーの場合、各室内子機１０のうちいずれかが応答釦スイッチ１０ａを操作した旨の信号を受信したか判断する（ステップＳ１２２）。この判断の答えがイエスの場合、親機４は玄関子機６に応答信号を送信する（ステップＳ１２４）。これによって、室内子機１０と玄関子機６との間で通話が開始される。
【００４３】
ステップＳ１２２の判断の答えがノーの場合、規定呼出時間が経過したか判断し（ステップＳ１２６）、その判断の答えがノーの場合、ステップＳ１１８から再び実行する。ステップＳ１２６の判断の答えがイエスの場合、親機４、各室内子機１０は待機状態に戻り、玄関子機６はスリープ状態に戻る（ステップＳ１２８）。このようにステイモードでは、親機４と室内子機１０とを規定時間にわたって呼び出すことを繰り返し、この間で最先に応答した親機４または室内子機１０と玄関子機６との間で通話が行われる。このようにステイモードでは、親機４、各室内子機１０を順に呼び出すことを繰り返し、この繰り返しの間で最先に応答した機器と玄関子機６との間で通話が行われる。
【００４４】
センサ警報動作処理では、図１０に示すように親機４がステイモードであるか判断する（ステップＳ１３０）。この判断の答えがイエスの場合、直ちにセンサ警報オン動作処理を実行し、この判断の答えがノーの場合、センサ８ａの信号を受信してから規定時間経過するのを待ち（ステップＳ１３２）、この規定時間の経過後にセンサ警報オン動作処理を実行する。
【００４５】
図１１に示すように、センサ警報オン動作処理では、まず、親機４は、センサ子機８から呼出があったことを表す信号を全室内子機１０に送信する（ステップＳ１３４）。これによって後述するように、各室内子機１０ではセンサ警報動作処理が実行される。ステップＳ１３４に続いて、アラームランプ４ｎを点滅動作させ、１分間にわたって警報音を鳴らし、リレーメイク動作を行う（ステップＳ１３６）。このリレーメイク動作によってランプ２０が点灯する。
【００４６】
次に、予め設定されている携帯電話機等の登録先に電話が掛けられる（ステップＳ１３８）。これに続いて、登録先の電話が応答したか判断する（ステップＳ１４０）。この判断の答えがイエスの場合、親機４はセンサ子機８に応答信号を送信し、かつ各室内子機１０に決定信号を送信する（ステップＳ１４２）。これによって、登録先の携帯電話機とセンサ子機８との間に通話路が開設される。
【００４７】
ステップＳ１４０の判断の答えがノーの場合、親機４の応答釦スイッチ４ｃが押されたか判断する（ステップＳ１４４）。この判断の答えがイエスの場合、親機４はセンサ子機８に応答信号を送信し、各室内子機１０に決定信号を送信する（ステップＳ１４６）。これによって、親機４とセンサ子機８との間で通話路が開設される。
【００４８】
ステップＳ１４４の判断の答えがノーであると、各室内子機１０のいずれかで応答ボタンスイッチ１０ａが押されたことを表す信号を受信したか判断する（ステップＳ１４８）。この判断の答えがイエスの場合、親機４はセンサ子機８に応答信号を送信する（ステップＳ１５０）。これによって、室内子機１０とセンサ子機８との間に通話路が開設される。
【００４９】
ステップＳ１４８の判断の答えがノーの場合、登録先に予め定めた回数にわたってコールしたか判断する（ステップＳ１５２）。この判断の答えがノーの場合、ステップＳ１３８から再び実行する。ステップＳ１５２の判断の答えがイエスであると、次の登録先があるか判断する（ステップＳ１５４）。この判断の答えがイエスの場合には次の登録先に電話を掛け（ステップＳ１５６）、ステップＳ１３８から再び実行する。ステップＳ１５６の判断の答えがノーの場合、予め定められた規定回数だけリダイヤルしたか判断し（ステップＳ１５８）、その判断の答えがノーの場合、ステップＳ１５６から再び実行する。ステップＳ１５８の判断の答えがイエスの場合、親機４は待機状態に入り、センサ子機８はスリープ状態に戻る（ステップＳ１６０）。このように、登録先の携帯電話機、親機４、室内子機１０を順に呼び出すことを繰り返し、この間で最先に応答したものとセンサ子機８との間に通話路が開設され、センサ子機８の近傍にいる侵入者を威嚇したり、或いはセンサ子機８のマイクからの音を聴取したりして、状況を把握することができる。
【００５０】
なお室内子機１０のセンサ警報動作処理では、図１２に示すように、各室内子機１０のアラームランプ１０ｆを点滅動作させ、警報音を１分間鳴らす（ステップＳ１６２）。これに続いて、いずれかの室内子機１０の応答釦スイッチ１０ａが操作されたか判断する（ステップＳ１６４）。この判断の答えがノーの場合、登録先または親機４が応答した旨の信号が親機４から受信したか判断する（ステップＳ１６６）。この判断の答えがノーの場合、ステップＳ１６４を再び実行する。ステップＳ１６６の判断の答えがイエスの場合、各子機１０は待機状態に戻る（ステップＳ１６８）。
【００５１】
ステップＳ１６４の判断の答えがイエスの場合、親機４に応答ボタンスイッチ１０ａが操作された旨の信号を送信し（ステップＳ１７０）、親機４が残りの室内子機１０に停止信号を送信する（ステップＳ１７２）。これによって室内子機１０とセンサ子機８とが通話可能な状態となる。また、残りの室内子機１０は待機状態に戻る（ステップＳ１７４）。
【００５２】
なお、この他に、このインターホンでは、室内子機１０から親機を呼び出して通話したり、親機４から各室内子機１０を一斉に呼び出し、そのうち最も先に応答した室内子機１０と親機４との間で通話したり、親機４から特定の子機を呼び出して、特定の子機と親機４との間で通話したり、親機４を介して室内子機１０同士で通話したりすることもできる。
【００５３】
上記の実施の形態では、玄関子機６と親機４との通話、親機４と各室内子機１０との通話、センサ子機８と親機４との通話は、無線で行うように構成したが、有線での通話とすることもできる。上記の実施の形態では、センサ子機８や室内子機１０を設けたが、場合によってはこれらを除去することもできる。上記の実施の形態では、携帯電話機を使用したが、これに限ったものではなく、例えば予め定めた固定電話器を使用することもできる。
【図面の簡単な説明】
【００５４】
【図１】本発明の１実施形態のインターホンのブロック図である。
【図２】図１のインターホンの各子機のメインフローチャートである。
【図３】図１のインターホンの親機のメインフローチャートである。
【図４】図３のパニック警報動作の詳細なフローチャートである。
【図５】図４の室内子機パニック警報動作の詳細なフローチャートである。
【図６】図３の玄関子機呼出動作の詳細なフローチャートである。
【図７】図６の外出モードの詳細なフローチャートである。
【図８】図７の室内子機の玄関子機呼出動作の詳細なフローチャートである。
【図９】図６のステイモードの詳細なフローチャートである。
【図１０】図３のセンサ警報動作の詳細なフローチャートである。
【図１１】図１０のセンサ警報オン動作の詳細なフローチャートである。
【図１２】図１１の室内子機のセンサ警報動作の詳細なフローチャートである。
【符号の説明】
【００５５】
４  親機
６  玄関子機（外部子機）
１０  室内子機（住宅内子機）
１２  パニック釦（緊急用子機）
１６  携帯電話機（外部通話装置）
【図１】
2005311673.tif 000003
【図２】
2005311673.tif 000004
【図３】
2005311673.tif 000005
【図４】
2005311673.tif 000006
【図５】
2005311673.tif 000007
【図６】
2005311673.tif 000008
【図７】
2005311673.tif 000009
【図８】
2005311673.tif 000010
【図９】
2005311673.tif 000011
【図１０】
2005311673.tif 000012
【図１１】
2005311673.tif 000013
【図１２】
2005311673.tif 000014